【手続補正書】
【提出日】平成17年3月22日(2005.3.22)
【手続補正１】
【補正対象書類名】明細書
【補正対象項目名】特許請求の範囲
【補正方法】変更
【補正の内容】
【特許請求の範囲】
【請求項１】
レボルバの支持ねじ部に螺合する取付ねじ部及びレボルバの当て付け面に当て付けられる取付面を対物レンズに加工する装置であって、
対物レンズに平行光を照射する光学系と、対物レンズを透過した光を結像させる標本を有し、この標本に結像したスポットを観察する観察系と、対物レンズを保持するチャックと、前記チャックを回転させるスピンドルと、前記観察系と対物レンズによる前記スポットとの光軸中心及び焦点位置とが一致するように相対位置を調整する位置調整機構と、前記位置調整機構で調整した前記観察系と前記対物レンズとの相対位置を保った状態で対物レンズの取付面と取付ねじ部を加工する加工工具とを備えていることを特徴とする対物レンズの加工装置。
【請求項２】
レボルバの支持ねじ部に螺合する取付ねじ部及びレボルバの当て付け面に当て付けられる取付面を対物レンズに加工する装置であって、
対物レンズに平行光を照射する光学系と、対物レンズを透過した光を結像させる標本を有し、この標本に結像したスポットを観察する観察系と、対物レンズを保持するチャックと、前記チャックを回転させるスピンドルと、前記観察系と対物レンズによる前記スポットとの光軸中心及び焦点位置とが一致するように前記チャックと前記スピンドルとの相対位置を調整する位置調整機構と、前記位置調整機構で調整した前記観察系と前記対物レンズとの相対位置を保った状態で対物レンズの取付面と取付ねじ部を加工する加工工具とを備えていることを特徴とする対物レンズの加工装置。
【請求項３】
レボルバの支持ねじ部に螺合する取付ねじ部及びレボルバの当て付け面に当て付けられる取付面を対物レンズに加工する装置であって、
対物レンズに平行光を照射する光学系と、対物レンズを透過した光を結像させる標本を有し、この標本に結像したスポットを観察する観察系と、対物レンズを保持するチャックと、前記チャックを回転させるスピンドルと、前記観察系と対物レンズによる前記スポットとの光軸中心が一致するように前記チャックと前記スピンドルとの相対位置を調整する光軸調整機構と、前記スポットが最小径となるように前記観察系を前記平行光の光軸方向に沿って移動させる移動機構とを有する位置調整機構と、前記位置調整機構で調整した前記観察系と前記対物レンズとの相対位置を保った状態で対物レンズの取付面と取付ねじ部を加工する加工工具とを備えていることを特徴とする対物レンズの加工装置。
【請求項４】
前記加工工具は、対物レンズの取付面を加工する取付面加工工具と、取付面加工工具とは別個に配置され、対物レンズの取付ねじ部を加工する取付ねじ部加工工具とを備えていることを特徴とする請求項１乃至３のいずれかに記載の対物レンズの加工装置。
【請求項５】
前記スポットと前記観察系の相対位置を保った状態で、前記観察系と前記取付面加工工具とが一体的に前記平行光の光路に沿って移動可能となっていることを特徴とする請求項１乃至３のいずれかに記載の対物レンズの加工装置。
【請求項６】
前記観察系は、スポット像を表示する表示手段を有することを特徴とする請求項１乃至３のいずれかに記載の対物レンズの加工装置。
【請求項７】
レボルバの支持ねじ部に螺合する取付ねじ部及びレボルバの当て付け面に当て付けられる取付面を対物レンズに加工する方法であって、
加工対象の対物レンズを回転自在なスピンドルに支持されたチャックに取付け、対物レンズに平行光を照射してスポットとして標本に結像させ、前記スポット像を観察系で観察しながら、前記スポットと前記観察系の光軸中心及び焦点が一致するように相対移動することにより位置調整を行い、その後、前記位置関係を保持した状態で加工工具により、対物レンズの前記取付ねじ部及び前記取付面を加工することを特徴とする対物レンズの加工方法。
【手続補正２】
【補正対象書類名】明細書
【補正対象項目名】００１１
【補正方法】変更
【補正の内容】
【００１１】
すなわち、請求項１の発明の対物レンズの加工装置は、レボルバの支持ねじ部に螺合する取付ねじ部及びレボルバの当て付け面に当て付けられる取付面を対物レンズに加工する装置であって、対物レンズに平行光を照射する光学系と、対物レンズを透過した光を結像させる標本を有し、この標本に結像したスポットを観察する観察系と、対物レンズを保持するチャックと、前記チャックを回転させるスピンドルと、前記観察系と対物レンズによる前記スポットとの光軸中心及び焦点位置とが一致するように相対位置を調整する位置調整機構と、前記位置調整機構で調整した前記観察系と前記対物レンズとの相対位置を保った状態で対物レンズの取付面と取付ねじ部を加工する加工工具とを備えていることを特徴とする。
【手続補正３】
【補正対象書類名】明細書
【補正対象項目名】００１２
【補正方法】変更
【補正の内容】
【００１２】
請求項２の発明の対物レンズの加工装置は、レボルバの支持ねじ部に螺合する取付ねじ部及びレボルバの当て付け面に当て付けられる取付面を対物レンズに加工する装置であって、対物レンズに平行光を照射する光学系と、対物レンズを透過した光を結像させる標本を有し、この標本に結像したスポットを観察する観察系と、対物レンズを保持するチャックと、前記チャックを回転させるスピンドルと、前記観察系と対物レンズによる前記スポットとの光軸中心及び焦点位置とが一致するように前記チャックと前記スピンドルとの相対位置を調整する位置調整機構と、前記位置調整機構で調整した前記観察系と前記対物レンズとの相対位置を保った状態で対物レンズの取付面と取付ねじ部を加工する加工工具とを備えていることを特徴とする。
【手続補正４】
【補正対象書類名】明細書
【補正対象項目名】００１３
【補正方法】変更
【補正の内容】
【００１３】
請求項３の発明の対物レンズの加工装置は、レボルバの支持ねじ部に螺合する取付ねじ部及びレボルバの当て付け面に当て付けられる取付面を対物レンズに加工する装置であって、対物レンズに平行光を照射する光学系と、対物レンズを透過した光を結像させる標本を有し、この標本に結像したスポットを観察する観察系と、対物レンズを保持するチャックと、前記チャックを回転させるスピンドルと、前記観察系と対物レンズによる前記スポットとの光軸中心が一致するように前記チャックと前記スピンドルとの相対位置を調整する光軸調整機構と、前記スポットが最小径となるように前記観察系を前記平行光の光軸方向に沿って移動させる移動機構とを有する位置調整機構と、前記位置調整機構で調整した前記観察系と前記対物レンズとの相対位置を保った状態で対物レンズの取付面と取付ねじ部を加工する加工工具とを備えていることを特徴とする。
【手続補正５】
【補正対象書類名】明細書
【補正対象項目名】００１４
【補正方法】変更
【補正の内容】
【００１４】
請求項４の発明は、請求項１乃至３のいずれかに記載の対物レンズの加工装置であって、前記加工工具は、対物レンズの取付面を加工する取付面加工工具と、取付面加工工具とは別個に配置され、対物レンズの取付ねじ部を加工する取付ねじ部加工工具とを備えていることを特徴とする。
【手続補正６】
【補正対象書類名】明細書
【補正対象項目名】００１５
【補正方法】変更
【補正の内容】
【００１５】
請求項５の発明は、請求項１乃至３のいずれかに記載の対物レンズの加工装置であって、前記スポットと前記観察系の相対位置を保った状態で、前記観察系と前記取付面加工工具とが一体的に前記平行光の光路に沿って移動可能となっていることを特徴とする。
【手続補正７】
【補正対象書類名】明細書
【補正対象項目名】００１６
【補正方法】変更
【補正の内容】
【００１６】
請求項６の発明は、請求項１乃至３のいずれかに記載の対物レンズの加工装置であって、前記観察系は、スポット像を表示する表示手段を有することを特徴とする。
【手続補正８】
【補正対象書類名】明細書
【補正対象項目名】００１７
【補正方法】変更
【補正の内容】
【００１７】
請求項６の発明の対物レンズの加工方法は、レボルバの支持ねじ部に螺合する取付ねじ部及びレボルバの当て付け面に当て付けられる取付面を対物レンズに加工する方法であって、加工対象の対物レンズを回転自在なスピンドルに支持されたチャックに取付け、対物レンズに平行光を照射してスポットとして標本に結像させ、前記スポット像を観察系で観察しながら、前記スポットと前記観察系の光軸中心及び焦点が一致するように相対移動することにより位置調整を行い、その後、前記位置関係を保持した状態で加工工具により、対物レンズの前記取付ねじ部及び前記取付面を加工することを特徴とする。
【手続補正９】
【補正対象書類名】明細書
【補正対象項目名】００４５
【補正方法】変更
【補正の内容】
【００４５】
【発明の効果】請求項１乃至３の発明によれば、観察系の標本と対物レンズの焦点位置とが一致するように調整した後、対物レンズの取付面及び取付ねじ部を加工するため、顕微鏡等の光学機器に対物レンズを取り付け、レボルバの回転で低倍率から高倍率へ対物レンズを交換した際に、視野中心がずれず、測定個所を再び探す必要がなく、操作性が向上するばかりでなく、自動位置決め機構が不要なため、対物レンズを取り付ける顕微鏡等の光学機器の構成を単純かつ安価にできる。
【手続補正１０】
【補正対象書類名】明細書
【補正対象項目名】００４６
【補正方法】変更
【補正の内容】
【００４６】
請求項４の発明によれば、取付面加工工具と取付ねじ部加工工具の２種類の工具を有しているため、ねじ加工時に発生したねじ部加工工具の熱が対物レンズの取付面の切削時に影響することがなく、対物レンズの全長が熱影響で伸びて焦点がずれることを防止できる。同様に、スピンドルを取付面加工工具及び標本から離しているため、スピンドルから発生する熱の影響で対物レンズの全長が伸びて焦点がずれるのを防止できる。
【手続補正１１】
【補正対象書類名】明細書
【補正対象項目名】００４７
【補正方法】変更
【補正の内容】
【００４７】
請求項５の発明によれば、請求項１乃至３の発明と同様な効果を有するのに加えて、観察系と取付面加工工具とが一体的に移動するため、標本と対物レンズの取付面との距離を常に一定に保った状態で取付面を加工することができ、標本と対物レンズの間隔調整を簡素化することができる。
【手続補正１２】
【補正対象書類名】明細書
【補正対象項目名】００４８
【補正方法】変更
【補正の内容】
【００４８】
請求項７の発明によれば、標本と対物レンズの焦点位置を一致させると共に、標本と対物レンズの取付面との間隔を一定に保った状態で対物レンズを加工するため、異なった対物レンズであっても焦点位置と取付面との距離が常に一定となり、このため、対物レンズを顕微鏡のレボルバに取り付けて、対物レンズを切り換えても視野中心が一定となり、焦点がずれることがなくなる。